(57)【要約】      （修正有）【課題】ＥＧＲガスのＰＭ濃度を高めることができるディーゼルエンジンの排気処理装置を提供する。【解決手段】排気ガス分流器２に相互に異なる極性の電極１２・１３を設け、これら電極１２・１３間でのコロナ放電により、排気ガス３中のＰＭを所定の極性に帯電させ、排気ガス旋回室９を周囲から取り囲む排気ガス旋回室周壁１４を帯電ＰＭと逆の極性の電極１３にし、排気ガス旋回室９を旋回する排気ガス３中の帯電ＰＭを遠心力と静電気力とで排気ガス旋回室周壁１４寄りに偏在させ、偏在したＰＭを含む排気ガス３をＥＧＲガス４として排気ガス旋回室終端部７に分流させるとともに、中心筒７寄りの排気ガス３を放出ガス５として放出ガス進入孔８及びガス抜き孔２４から中心筒７内に分流させる。【選択図】図２
2010276012.tif 000002
【特許請求の範囲】
【請求項１】
排気経路(１)に排気分流器(２)を設け、排気分流器(２)で排気ガス(３)中のＰＭを偏在させ、排気ガス(３)を、偏在したＰＭを含むＥＧＲガス(４)と残りの放出ガス(５)とに分流させ、ＥＧＲガス(４)を燃焼室(４２)に還流させ、放出ガス(５)を大気側に放出するようにした、ディーゼルエンジンの排気処理装置において、
排気ガス分流器(２)の中心部に中心筒(７)を配置し、この中心筒(７)の周壁に複数の放出ガス進入孔(８)を設け、この中心筒(７)の周囲に排気ガス旋回室(９)を設け、排気ガス分流器(２)に相互に異なる極性の電極(１２)(１３)を設け、これら電極(１２)(１３)間でのコロナ放電により、排気ガス(３)中のＰＭを所定の極性に帯電させ、
排気ガス旋回室(９)を周囲から取り囲む排気ガス旋回室周壁(１４)を帯電ＰＭと逆の極性の電極(１３)にし、
排気ガス旋回室(９)を旋回する排気ガス(３)中の帯電ＰＭを遠心力と静電気力とで排気ガス旋回室周壁(１４)寄りに偏在させ、偏在したＰＭを含む排気ガス(３)をＥＧＲガス(４)として排気ガス旋回室終端部(７)(１５)に分流させるとともに、中心筒(７)寄りの排気ガス(３)を放出ガス(５)として放出ガス進入孔(８)から中心筒(７)内に分流させる、ことを特徴とするディーゼルエンジンの排気処理装置。
【請求項２】
請求項１に記載したディーゼルエンジンの排気処理装置において、
中心筒(７)を帯電ＰＭと同じ極性の電極(１２)とした、ことを特徴とするディーゼルエンジンの排気処理装置。
【請求項３】
請求項２に記載したディーゼルエンジンの排気処理装置において、
放出ガス進入孔(８)の開口縁に鋭角部(８ａ)を設けた、ことを特徴とするディーゼルエンジンの排気処理装置。
【請求項４】
請求項１から請求項３のいずれかに記載したディーゼルエンジンの排気処理装置において、
排気ガス旋回室(９)側から中心筒(７)内に向かう放出ガス進入孔(８)の向きを、排気ガス(３)の旋回方向と逆行する向きにした、ことを特徴とするディーゼルエンジンの排気処理装置。
【請求項５】
請求項１から請求項４のいずれかに記載したディーゼルエンジンの排気処理装置において、
中心筒(７)を帯電ＰＭと同じ極性の電極(１２)とし、中心筒(７)の外周に排気ガス旋回室周壁(１４)に向けて突出する放電用突起(６)を形成した、ことを特徴とするディーゼルエンジンの排気処理装置。
【請求項６】
請求項５に記載されたディーゼルエンジンの排気処理装置において、
複数個の放出ガス進入孔(８)(８)を中心筒(７)の軸長方向に沿って配置するに当たり、
放電用突起(６)を軸長方向に並ぶ放出ガス進入孔(８)(８)の間に配置した、ことを特徴とするディーゼルエンジンの排気処理装置。
【請求項７】
請求項５または請求項６に記載したディーゼルエンジンの排気処理装置において、
放電用突起(６)の上流側に排気ガス偏向案内壁(１８)を配置し、放電用突起(６)に向かう排気ガス(３)を排気ガス偏向案内壁(１８)で放電用突起(６)の周囲の排気ガス旋回室周壁(１４)側に偏向させるようにした、ことを特徴とするディーゼルエンジンの排気処理装置。
【請求項８】
請求項１から請求項７のいずれかに記載したディーゼルエンジンの排気処理装置において、
排気ガス旋回室終端部(１５)に囲まれた中心筒終端部(１９)に中心筒終端壁(２０)を設け、排気ガス旋回室終端部(１５)に隣接してＥＧＲガス旋回室(２１)を設け、ＥＧＲガス旋回室(２１)を周囲から取り囲むＥＧＲガス旋回室周壁(２２)にＥＧＲガス出口(２３)を設け、中心筒終端壁(２０)にガス抜き孔(２４)をあけ、
ＥＧＲガス旋回室(２１)の中心部から溢れたＥＧＲガス(４)のガス成分(２５)が放出ガス(５)としてガス抜き孔(２４)から中心筒(７)内に流入するようにした、ことを特徴とするディーゼルエンジンの排気処理装置。
【請求項９】
請求項８に記載したディーゼルエンジンの排気処理装置において、
ＥＧＲガス旋回室周壁(２２)を帯電ＰＭと異なる極性の電極(１３)とした、ことを特徴とするディーゼルエンジンの排気処理装置。
【請求項１０】
請求項９に記載したディーゼルエンジンの排気処理装置において、
中心筒終端壁(２０)を帯電ＰＭと同じ極性の電極(１２)とした、ことを特徴とするディーゼルエンジンの排気処理装置。
【請求項１１】
請求項１０に記載したディーゼルエンジンの排気処理装置において、
ガス抜き孔(２４)の開口縁に鋭角部(２４ａ)を設けた、ことを特徴とするディーゼルエンジンの排気処理装置。
【請求項１２】
請求項８から請求項１１のいずれかに記載したディーゼルエンジンの排気処理装置において、
ＥＧＲガス旋回室(２１)の中心部側から中心筒(７)内に向かうガス抜き孔(２４)の向きを、ＥＧＲガス(４)の旋回方向と逆行する向きにした、ことを特徴とするディーゼルエンジンの排気処理装置。
【請求項１３】
請求項１から請求項１２のいずれかに記載したディーゼルエンジンの排気処理装置において、
排気ガス旋回室(９)の上流に螺旋形の助走案内壁(２６ａ)に沿う排気ガス旋回助走通路(２６)を設けた、ことを特徴とするディーゼルエンジンの排気処理装置。
【請求項１４】
請求項１３に記載したディーゼルエンジンの排気処理装置において、
排気ガス旋回助走通路(２６)で囲まれた排気ガス分流器(２)の中心部に放出ガス排出通路(２７)を設け、この放出ガス排出通路(２７)の排出通路入口(２８)を中心筒始端部(２９)にある中心筒出口(３０)と連通させた、ことを特徴とするディーゼルエンジンの排気処理装置。
【請求項１５】
請求項１３または請求項１４に記載したディーゼルエンジンの排気処理装置において、
中心筒(７)と、排気ガス旋回助走通路(２６)を周囲から取り囲む助走通路周壁(３３)とを、相互に異なる極性の電極(１２)(１３)とした、ことを特徴とするディーゼルエンジンの排気処理装置。
【請求項１６】
請求項１５に記載したディーゼルエンジンの排気処理装置において、
放出ガス排出通路(２７)の排出通路周壁(２７ａ)を、排出通路入口周壁(３５)と、この排出通路入口周壁(３５)よりも下流側の排出通路下流側周壁(３６)とに区分し、排出通路下流側周壁(３６)と中心筒出口周壁(３７)との間に排出通路入口周壁(３５)を介在させ、
排出通路入口周壁(３５)を電気的絶縁体で成型し、
中心筒(７)に対し、異なる極性の電極(１３)となる排気ガス旋回室周壁(１４)と助走通路周壁(３３)と排出通路下流側周壁(３６)とを電気的に絶縁した、ことを特徴とするディーゼルエンジンの排気処理装置。
【請求項１７】
請求項１６に記載したディーゼルエンジンの排気処理装置において、
中心筒(７)を帯電ＰＭと同じ極性の電極(１２)とし、中心筒(７)の外周に排気ガス旋回室周壁(１４)に向けて突出する放電用突起(６)を形成するに当たり、
排出通路入口周壁(３５)を排気ガス偏向案内壁(１８)とし、放電用突起(６)に向かう排気ガス(３)を排気ガス偏向案内壁(１８)で放電用突起(６)の周囲の排気ガス旋回室周壁(１４)側に偏向させるようにした、ことを特徴とするディーゼルエンジンの排気処理装置。
【請求項１８】
請求項１６または請求項１７に記載したディーゼルエンジンの排気処理装置において、
助走通路周壁(３３)と排出通路下流側周壁(３６)とを排気マニホルド(３９)と一体成型した、ことを特徴とするディーゼルエンジンの排気処理装置。
【請求項１９】
請求項１から請求項１８のいずれかに記載したディーゼルエンジンの排気処理装置において、
過給機(４０)の排気タービン(４１)よりも上流に排気ガス分流器(２)を設けた、ことを特徴とするディーゼルエンジンの排気処理装置。
【請求項２０】
請求項１から請求項１９のいずれかに記載したディーゼルエンジンの排気処理装置において、
排気ガス(３)中のＰＭを捕捉し、ＰＭを燃焼除去して再生する、ＤＰＦを用いることなく、放出ガス(５)を大気側に排出するようにした、ことを特徴とするディーゼルエンジンの排気処理装置。
【請求項２１】
請求項１から請求項２０のいずれかに記載したディーゼルエンジンの排気処理装置において、
排気分流器(２)の端部に回路収容ケース(５７)を設け、この回路収容ケース(５７)に昇圧回路(５８)を収容し、この昇圧回路(５８)で昇圧した電圧を排気分流器(２)の電極(１２)(１３)に印加するようにした、ことを特徴とするディーゼルエンジンの排気処理装置。
【請求項２２】
請求項２１に記載したディーゼルエンジンの排気処理装置において、
昇圧回路(５８)と電気的に接続した導電体(５９)を排気分流器(２)の端壁(６０)に貫通させ、この導電体(５９)を介して昇圧回路(５８)で昇圧した電圧を排気分流器(２)の電極(１２)(１３)に印加するようにした、ことを特徴とするディーゼルエンジンの排気処理装置。
【発明の詳細な説明】
【技術分野】
【０００１】
本発明は、ディーゼルエンジンの排気処理装置に関し、詳しくは、ＥＧＲガスのＰＭ濃度を高めることができるディーゼルエンジンの排気処理装置に関する。
尚、本発明で用いる用語中、ＰＭは排気ガスに含まれる粒子状物質、ＥＧＲは排気ガス還流、ＤＰＦはディーゼル・パティキュレート・フィルタの略称である。
【背景技術】
【０００２】
従来、ディーゼルエンジンの排気処理装置として、排気経路に排気分流器を設け、排気分流器で排気ガス中のＰＭを偏在させ、排気ガスを、偏在したＰＭを含むＥＧＲガスと残りの放出ガスとに分流させ、ＥＧＲガスを燃焼室に還流させ、放出ガスを大気側に放出するようにしたものがある(例えば、特許文献１参照)。
この種の排気処理装置によれば、ＥＧＲガスに含まれるＰＭがエンジン運転中に燃焼室の燃焼熱で焼却処理される。このため、ＤＰＦを無くすことができる。或いは、ＤＰＦと排気ガス分流器とを併用することにより、ＤＰＦを小型化することができる。排気ガス分流器は、多くのＰＭを保存しておく必要がないため、ＤＰＦよりも小型化することができ、ＤＰＦに代えて排気ガス分流器を用いる場合、ＤＰＦと排気ガス分流器とを併用する場合のいずれの場合も、エンジンを小型化することができる利点がある。
しかし、この従来技術では、排気ガス分流器の上流側中心部に電極部を設け、排気ガス分流器の外周壁を電極部とし、これらの間のコロナ放電により排気ガス中のＰＭを帯電させ、排気ガス分流器の下流側中心部に内筒を配置し、内筒の外側にＥＧＲガスを、内筒の内側に放出ガスをそれぞれ分流させるようになっているが、内筒の放出ガス進入口が内筒の上流端で開口しているため、問題がある。
【先行技術文献】
【特許文献】
【０００３】
【特許文献１】特開２００７−２７８１９４号公報(図２参照)
【発明の概要】
【発明が解決しようとする課題】
【０００４】
《問題》  ＥＧＲガスのＰＭ濃度を十分に高めることができない。
排気ガス分流器の上流側中心部付近を通過する比較的重いＰＭは、静電気力を受けても、慣性力のために直進し、内筒の上流端の放出ガス進入口内筒に進入する傾向があり、ＥＧＲガスのＰＭ濃度を十分に高めることができない。このため多くのＰＭが大気側に放出される。
【０００５】
本発明の課題は、ＥＧＲガスのＰＭ濃度を高めることができるディーゼルエンジンの排気処理装置を提供することにある。
【課題を解決するための手段】
【０００６】
請求項１に係る発明の発明特定事項は、次の通りである。
図１に例示するように、排気経路(１)に排気分流器(２)を設け、排気分流器(２)で排気ガス(３)中のＰＭを偏在させ、排気ガス(３)を、偏在したＰＭを含むＥＧＲガス(４)と残りの放出ガス(５)とに分流させ、ＥＧＲガス(４)を燃焼室(４２)に還流させ、放出ガス(５)を大気側に放出するようにした、ディーゼルエンジンの排気処理装置において、
図２に例示するように、排気ガス分流器(２)の中心部に中心筒(７)を配置し、この中心筒(７)の周壁に複数の放出ガス進入孔(８)を設け、この中心筒(７)の周囲に排気ガス旋回室(９)を設け、排気ガス分流器(２)に相互に異なる極性の電極(１２)(１３)を設け、これら電極(１２)(１３)間でのコロナ放電により、排気ガス(３)中のＰＭを所定の極性に帯電させ、
排気ガス旋回室(９)を周囲から取り囲む排気ガス旋回室周壁(１４)を帯電ＰＭと逆の極性の電極(１３)にし、
排気ガス旋回室(９)を旋回する排気ガス(３)中の帯電ＰＭを遠心力と静電気力とで排気ガス旋回室周壁(１４)寄りに偏在させ、偏在したＰＭを含む排気ガス(３)をＥＧＲガス(４)として排気ガス旋回室終端部(７)に分流させるとともに、中心筒(７)寄りの排気ガス(３)を放出ガス(５)として放出ガス進入孔(８)から中心筒(７)内に分流させる、ことを特徴とするディーゼルエンジンの排気処理装置。
【発明の効果】
【０００７】
(請求項１に係る発明)
請求項１に係る発明は、次の効果を奏する。
《効果》  ＥＧＲガスのＰＭ濃度を高めることができる。
図２に例示するように、排気ガス旋回室(９)を旋回する排気ガス(３)中の帯電ＰＭを遠心力と静電気力とで排気ガス旋回室周壁(１４)寄りに偏在させ、偏在したＰＭを含む排気ガス(３)をＥＧＲガス(４)として排気ガス旋回室終端部(１５)に分流させるので、ＰＭは排気ガス旋回室周壁(１４)寄りに効率的に偏在され、ＥＧＲガス(４)のＰＭ濃度を高めることができる。
【０００８】
《効果》  重さや粒径が異なるＰＭを偏りなくＥＧＲガス中に取り込むことができる。
図２に示すように、排気ガス旋回室(９)を旋回する排気ガス(３)中の帯電ＰＭを遠心力と静電気力とで排気ガス旋回室周壁(１４)寄りに偏在させ、偏在したＰＭを含む排気ガス(３)をＥＧＲガス(４)として排気ガス旋回室終端部(１５)に分流させるので、遠心力が効果的に作用する重いＰＭも、静電気力が効果的に作用する軽いＰＭもＥＧＲガス(４)に偏りなく取り込むことができる。このため、重さや粒径が異なるＰＭを偏りなくＥＧＲガス(４)中に取り込むことができる。このため、ＰＭが大気側に放出されにくい。
【０００９】
(請求項２に係る発明)
請求項２に係る発明は、請求項１に係る発明の効果に加え、次の効果を奏する。
《効果》  排気ガス中のＰＭが中心筒内に進入しにくい。
図２に例示するように、中心筒(７)を帯電ＰＭと同じ極性の電極(１２)としたので、排気ガス(３)中の帯電ＰＭが静電気力で中心筒(７)から遠ざけられ、排気ガス(３)中のＰＭが中心筒(７)内に進入しにくい。
【００１０】
(請求項３に係る発明)
請求項３に係る発明は、請求項２に係る発明の効果に加え、次の効果を奏する。
《効果》  排気ガス中の帯電ＰＭが放出ガス進入孔内を通過しにくい。
図４(Ａ)に例示するように、放出ガス進入孔(８)の開口縁に鋭角部(８ａ)を設けたので、排気ガス(３)中の帯電ＰＭが放出ガス進入孔(８)内を通過しにくい。その理由は、鋭角部(８ａ)付近に電界の集中箇所が発生し、帯電ＰＭの進入を抑制するためと推定される。
【００１１】
(請求項４に係る発明)
請求項４に係る発明は、請求項１から請求項３のいずれかに係る発明の効果に加え、次の効果を奏する。
《効果》  排気ガス中のＰＭが慣性により放出ガス進入孔内に進入しにくい。
図４(Ａ)に例示するように、排気ガス旋回室(９)側から中心筒(７)内に向かう放出ガス進入孔(８)の向きを、排気ガス(３)の旋回方向と逆行する向きにしたので、排気ガス中のＰＭが慣性により放出ガス進入孔(８)内に進入しにくい。
【００１２】
(請求項５に係る発明)
請求項５に係る発明は、請求項１から請求項４のいずれかに係る発明の効果に加え、次の効果を奏する。
《効果》  排気ガス旋回室内でＰＭを効率的に帯電させることができる。
図２に例示するように、中心筒(７)を帯電ＰＭと同じ極性の電極(１２)とし、中心筒(７)の外周に排気ガス旋回室周壁(１４)に向けて突出する放電用突起(６)を形成したので、放電用突起(６)と排気ガス旋回室周壁(１４)との間で安定的コロナ放電が起こり、排気ガス旋回室(９)内でＰＭを効率的に帯電させることができる。
【００１３】
(請求項６に係る発明の効果)
請求項６に係る発明は、請求項５に係る発明の効果に加え、次の効果を奏する。
《効果》  ＥＧＲガス中の帯電ＰＭが静電気力により放出ガス進入孔に進入しにくい。
図２に示すように、複数個の放出ガス進入孔(８)(８)を中心筒(７)の軸長方向に沿って配置する場合、放出ガス進入孔(８)の上流側で帯電ＰＭが排気ガス旋回室周壁(１４)に接触して電荷を失い、中心筒(７)に吸入される放出ガスの流れに乗って中心筒(７)に流入してしまう。
このため、図２に示すように、放電用突起(６)を軸長方向に並ぶ放出ガス進入孔(８)(８)の間に配置し、上流側の放出ガス進入孔(８)に進入しなかったＰＭを下流側の放電用突起(６)で生じるコロナ放電場を通過させることにより、再度、中心筒(７)と同じ極性に帯電させ、下流側の放出ガス進入孔(８)への進入を抑制するとともに、排気ガス旋回室周壁(１４)に引き寄せる。このため、ＥＧＲガス(４)中の帯電ＰＭが静電気力により放出ガス進入孔(８)に進入しにくい。
【００１４】
(請求項７に係る発明)
請求項７に係る発明は、請求項５または請求項６に係る発明の効果に加え、次の効果を奏する。
《効果》  ＥＧＲガスのＰＭ濃度を高めることができる。
図２に例示するように、放電用突起(６)の上流側に排気ガス偏向案内壁(１８)を配置し、放電用突起(６)に向かう排気ガス(３)を排気ガス偏向案内壁(１８)で放電用突起(６)の周囲の排気ガス旋回室周壁(１４)側に偏向させるようにしたので、排気ガス(３)中のＰＭは慣性により排気ガス旋回室周壁(１４)側に偏在しやすくなり、ＥＧＲガス(４)のＰＭ濃度を高めることができる。
《効果》  ＰＭの付着による放電用突起の汚染を抑制することができる。
排気ガス(３)中のＰＭは慣性により排気ガス旋回室周壁(１４)側に偏在しやすくなり、ＰＭの付着による放電用突起(６)の汚染を抑制することができる。
【００１５】
(請求項８に係る発明)
請求項８に係る発明は、請求項１から請求項７のいずれかに係る発明の効果に加え、次の効果を奏する。
《効果》  ＥＧＲガスの還流停止中でも、ＥＧＲガスがＥＧＲガス旋回室から排気ガス旋回室に逆流する不具合が抑制される。
図２に例示するように、ＥＧＲガス旋回室(２１)の中心部から溢れたＥＧＲガス(４)のガス成分(２５)がガス抜き孔(２４)から中心筒(７)内に流入するようにしたので、ＥＧＲガス(４)の還流停止中でも、或いは、ＥＧＲガス(４)の還流量が少ない場合でも、ＥＧＲガス(４)がＥＧＲガス旋回室(２１)から排気ガス旋回室(９)に逆流する不具合が抑制される。
【００１６】
(請求項９に係る発明)
請求項９に係る発明は、請求項８に係る発明の効果に加え、次の効果を奏する。
《効果》  ＥＧＲガス中の帯電ＰＭがガス抜き孔に進入しにくい。
図２に例示するように、ＥＧＲガス旋回室周壁(２２)を帯電ＰＭと異なる極性の電極(１３)としたので、ＥＧＲガス旋回室(２１)を旋回するＥＧＲガス(４)中の帯電ＰＭが遠心力と静電気力でＥＧＲガス旋回室周壁(２２)に近づき、ＥＧＲガス(４)中の帯電ＰＭがガス抜き孔(２４)に進入しにくい。
【００１７】
(請求項１０に係る発明)
請求項１０に係る発明は、請求項９に係る発明の効果に加え、次の効果を奏する。
《効果》  ＥＧＲガス中の帯電ＰＭがガス抜き孔に進入しにくい。
図２に例示するように、中心筒終端壁(２０)を帯電ＰＭと同じ極性の電極(１２)としたので、ＥＧＲガス旋回室(２１)を旋回するＥＧＲガス(４)中の帯電ＰＭが静電気力で中心筒終端壁(２０)から遠ざけられ、ＥＧＲガス(４)中の帯電ＰＭがガス抜き孔(２４)に進入しにくい。
【００１８】
(請求項１１に係る発明)
請求項１１に係る発明は、請求項１０に係る発明の効果に加え、次の効果を奏する。
《効果》  ＥＧＲガス中のＰＭがガス抜き孔に進入しにくい。
図４(Ｂ)に例示するように、ガス抜き孔(２４)の開口縁に鋭角部(２４ａ)を設けたので、ＥＧＲガス(４)中の帯電ＰＭがガス抜き孔(２４)に進入しにくい。その理由は、鋭角部(２４ａ)付近に電界の集中箇所が発生し、帯電ＰＭの進入を抑制するためと推定される。
【００１９】
(請求項１２に係る発明)
請求項１２に係る発明は、請求項８から請求項１１のいずれかに係る発明の効果に加え、次の効果を奏する。
《効果》  ＥＧＲガス中のＰＭがガス抜き孔に進入しにくい。
図４(Ｂ)(Ｃ)に例示するように、ＥＧＲガス旋回室(２１)の中心部側から中心筒(７)内に向かうガス抜き孔(２４)の向きを、ＥＧＲガス(４)の旋回方向と逆行する向きにしたので、慣性力により、ＥＧＲガス(４)中のＰＭがガス抜き孔(２４)に進入しにくい。
【００２０】
(請求項１３に係る発明)
請求項１３に係る発明は、請求項１から請求項１２のいずれかの発明の効果に加え、次の効果を奏する。
《効果》  ＥＧＲガスのＰＭ濃度を高めることができる。
図２に例示するように、排気ガス旋回室(９)の上流に螺旋形の助走案内壁(２６ａ)に沿う排気ガス旋回助走通路(２６)を設けたので、排気ガス旋回助走通路(２６)の整流作用により、排気ガス旋回室(９)での排気ガス(３)の旋回速度を高めることができ、排気ガス(３)中のＰＭにかかる遠心力を大きくし、ＥＧＲガス(４)のＰＭ濃度を高めることができる。
【００２１】
(請求項１４に係る発明)
請求項１４に係る発明は、請求項１３に係る発明の効果に加え、次の効果を奏する。
《効果》  排気ガス分流器をコンパクトにすることができる。
図２に例示するように、排気ガス旋回助走通路(２６)で囲まれた排気ガス分流器(２)の中心部に放出ガス排出通路(２７)を設け、この放出ガス排出通路(２７)の排出通路入口(２８)を中心筒始端部(２９)にある中心筒出口(３０)と連通させたので、排気ガス分流器(２)内に無駄なく部品を配置でき、排気ガス分流器(２)をコンパクトにすることができる。
【００２２】
(請求項１５に係る発明)
請求項１５に係る発明は、請求項１３または請求項１４に係る発明の効果に加え、次の効果を奏する。
《効果》  排気ガス旋回助走通路でＰＭを効率的に帯電させることができる。
図２に例示するように、中心筒(７)と、排気ガス旋回助走通路(２６)を周囲から取り囲む助走通路周壁(３３)とを、相互に異なる極性の電極(１２)(１３)としたので、これらの電極(１２)(１３)間でのコロナ放電により、排気ガス旋回助走通路(２６)でＰＭを効率的に帯電させることができる。
【００２３】
(請求項１６に係る発明)
請求項１６に係る発明は、請求項１５に係る発明の効果に加え、次の効果を奏する。
《効果》  簡易な絶縁体で電極間の絶縁を図ることができる。
図２に示すように、排出通路入口周壁(３５)を絶縁体で成型し、中心筒(７)に対し、異なる極性の電極(１３)となる排気ガス旋回室周壁(１４)と助走通路周壁(３３)と排出通路下流側周壁(３６)とを電気的に絶縁したので、簡易な絶縁体で電極(１２)(１３)間の絶縁を図ることができる。
【００２４】
(請求項１７に係る発明)
請求項１７に係る発明は、請求項１６に係る発明の効果に加え、次の効果を奏する。
《効果》  ＥＧＲガスのＰＭ濃度を高めることができる。
図２に例示するように、排出通路入口周壁(３５)を排気ガス偏向案内壁(１８)とし、放電用突起(６)に向かう排気ガス(３)を排気ガス偏向案内壁(１８)で放電用突起(６)の周囲の排気ガス旋回室周壁(１４)側に偏向させるようにしたので、排気ガス(３)中のＰＭは慣性により排気ガス旋回室周壁(１４)側に偏在しやすくなり、ＥＧＲガス(４)のＰＭ濃度を高めることができる。
《効果》  ＰＭ付着による放電用突起の汚染を抑制することができる。
排気ガス(３)中のＰＭは慣性により排気ガス旋回室周壁(１４)側に偏在しやすくなり、ＰＭ付着による放電用突起(６)の汚染を抑制することができる。
【００２５】
(請求項１８に係る発明)
請求項１８に係る発明は、請求項１６または請求項１７に係る発明の効果に加え、次の効果を奏する。
《効果》  部品の組み付け工程が少なくなる。
図２、図５、図６に例示するように、助走通路周壁(３３)と排出通路下流側周壁(３６)とを排気マニホルド(３９)と一体成型したので、助走通路周壁(３３)と排出通路下流側周壁(３６)を排気マニホルド(３９)に組み付ける必要がなくなり、部品の組み付け工程が少なくなる。
【００２６】
(請求項１９に係る発明)
請求項１９に係る発明は、請求項１から請求項１８のいずれかの発明の効果に加え、次の効果を奏する。
《効果》  ＥＧＲガスのＰＭ濃度を高めることができる。
図１に例示するように、過給機(４０)の排気タービン(４１)よりも上流に排気ガス分流器(２)を設けたので、排気タービン(４１)で排気エネルギーを損失する前に排気ガス分流器(２)内に排気ガス(３)を通過させ、排気ガス旋回室(９)での排気ガス(３)の旋回速度を高めることができ、排気ガス(３)中のＰＭにかかる遠心力を大きくし、ＥＧＲガス(４)のＰＭ濃度を高めることができる。
【００２７】
(請求項２０に係る発明)
請求項２０に係る発明は、請求項１から請求項１９のいずれかの発明の効果に加え、次の効果を奏する。
《効果》  エンジンを小型化することができる。
排気ガス(３)中のＰＭを捕捉し、ＰＭを燃焼除去して再生する、ＤＰＦを用いることなく、放出ガス(５)が大気に排出されるようにしたので、ＤＰＦを無くすことができ、エンジンを小型化することができる。
【００２８】
《効果》  エンジンの製造コストを安くすることができる。
ＤＰＦを無くすことができ、ＤＰＦの再生に必要なバーナー、ヒータ等のＰＭ焼却装置や、コモンレールによるポスト噴射が不要となり、エンジンの製造コストを安くすることができる。
【００２９】
《効果》  ＰＭ中の灰分の清掃を必要としない。
ＤＰＦを無くすことができ、ＤＰＦ再生後もＤＰＦに残留するＰＭの灰分(潤滑油の成分)の清掃を必要としない。
なお、本発明の場合、燃焼室(４２)でも焼却されないＰＭ中の灰分は、燃焼室(４２)からブローバイガスとともにクランクケース内に排出され、潤滑油に戻されるものと考えられる。
【００３０】
(請求項２１に係る発明)
請求項２１に係る発明は、請求項１から請求項２０のいずれかの発明の効果に加え、次の効果を奏する。
《効果》  排気処理装置をコンパクトに構成することができる。
図２に例示するように、排気分流器(２)の端部に回路収容ケース(５７)を設け、この回路収容ケース(５７)に昇圧回路(５８)を収容し、この昇圧回路(５８)で昇圧した電圧を排気分流器(２)の電極(１２)(１３)に印加するようにしたので、排気分流器(２)と回路収容ケース(５７)とを一体的に構成することができ、排気処理装置をコンパクトに構成することができる。
【００３１】
(請求項２２に係る発明)
請求項２２に係る発明は、請求項２１の発明の効果に加え、次の効果を奏する。
《効果》  高電圧ケーブル等を排気処理装置の外部で引き回す必要がない。
昇圧回路(５８)と電気的に接続した導電体(５９)を排気分流器(２)の端壁(６０)に貫通させ、この導電体(５９)を介して昇圧回路(５８)で昇圧した電圧を排気分流器(２)の電極(１２)(１３)に印加するようにしたので、昇圧回路(５８)から電極(１２)(１３)に高電圧を印加するための高電圧ケーブル等を排気処理装置の外部で引き回す必要がない。
【図面の簡単な説明】
【００３２】
【図１】本発明の第１実施形態に係るディーゼルエンジンの排気処理装置の模式図である。
【図２】図１に示す排気処理装置の排気ガス分流器の縦断面図である。
【図３】図２に示す排気ガス分流器を説明する図で、図３(Ａ)は中心筒と排気ガス旋回室周壁との平面図、図３(Ｂ)は図２のIIIＢ−IIIＢ線断面図である。
【図４】図２に示す排気ガス分流器で用いる中心筒を説明する図で、図４(Ａ)は横断平面図、図４(Ｂ)は中心筒終端部の縦断面図、図４(Ｃ)は底面図である。
【図５】図２の排気ガス分流器を備えた排気マニホルドの側面図である。
【図６】図２の排気ガス分流器を備えた排気マニホルドの平面図である。
【図７】本発明の第２実施形態に係るディーゼルエンジンの排気処理装置の排気ガス分流器の縦断面図である。
【図８】図７に示す排気ガス分流器を説明する図で、図８(Ａ)は斜め上から見た分解斜視図、図８(Ｂ)は斜め下から見た分割斜視図である。
【発明を実施するための形態】
【００３３】
図１〜図６は本発明の第１実施形態、図７〜図８は第２実施形態に係るディーゼルエンジンの排気処理装置を説明する図であり、各実施形態では、多気筒ディーゼルエンジンの排気処理装置について説明する。
【００３４】
第１実施形態の排気処理装置の概要は、次の通りである。
図１に示すように、排気経路(１)に排気分流器(２)を設け、排気分流器(２)で排気ガス(３)中のＰＭを偏在させ、排気ガス(３)を、偏在したＰＭを含むＥＧＲガス(４)と残りの放出ガス(５)とに分流させ、ＥＧＲガス(４)を燃焼室(４２)に還流させ、放出ガス(５)を大気側に放出するようにしている。
排気経路(１)は、排気ポート(４３)、排気マニホルド(３９)、排気ガス分流器(２)、過給機(４０)の排気タービン(４１)を順に接続して構成されている。ＥＧＲガス(４)は、ＥＧＲクーラ(４４)、ＥＧＲ弁室(４５)、逆止弁室(４６)を順に介して吸気経路(４７)に還流される。吸気経路(４７)は過給機(４０)のコンプレッサ(４８)、過給パイプ(５６)、吸気マニホルド(４９)、吸気ポート(５０)を順に接続して構成されている。ＥＧＲ弁室(４５)のＥＧＲ弁(４５ａ)は弁アクチュエータ(４５ｂ)で開閉駆動され、エンジン回転数やエンジン負荷に応じて、開閉され、その開度が調整される。
【００３５】
排気ガス分流器の構成は、次の通りである。
図２に示すように、排気ガス分流器(２)の中心部に中心筒(７)を配置し、この中心筒(７)の周壁に複数の放出ガス進入孔(８)を設け、この中心筒(７)の周囲に排気ガス旋回室(９)を設け、排気ガス分流器(２)に相互に異なる極性の電極(１２)(１３)を設け、これら電極(１２)(１３)間でのコロナ放電により、排気ガス(３)中のＰＭを所定の極性に帯電させるようになっている。
排気ガス旋回室(９)を周囲から取り囲む排気ガス旋回室周壁(１４)を帯電ＰＭと逆の極性の電極(１３)にし、排気ガス旋回室(９)を旋回する排気ガス(３)中の帯電ＰＭを遠心力と静電気力とで排気ガス旋回室周壁(１４)寄りに偏在させ、偏在したＰＭを含む排気ガス(３)をＥＧＲガス(４)として排気ガス旋回室終端部(１５)に分流させるとともに、中心筒(７)寄りの排気ガス(３)を放出ガス(５)として放出ガス進入孔(８)から中心筒(７)内に分流させる。
【００３６】
この実施形態では、ＰＭをマイナスの極性に帯電させる。そして、図２に示すように、中心筒(７)をＰＭと同じ極性のマイナスの電極(１２)とする。
図２に示すように、中心筒(７)は円筒形で、放出ガス進入孔(８)は、中心筒(７)の母線に所定間隔を保持して一列に配置され、この列が中心筒(７)の周方向に所定間隔を保持して複数列配置されている。図４(Ａ)に示すように、放出ガス進入孔(８)の開口縁に鋭角部(８ａ)を設けている。排気ガス旋回室(９)側から中心筒(７)内に向かう放出ガス進入孔(８)の向きを、排気ガス(３)の旋回方向と逆行する向きにしている。図４(Ａ)に示すように、鋭角部(８ａ)は、中心軸(７)の中心軸直交断面図上、鋭角となっている部分である。この実施形態では、中心筒(７)を帯電ＰＭと同じ極性の電極(１２)とするので、帯電ＰＭと異なる極性の電極(１３)となる排気ガス旋回室周壁(１４)との間で、コロナ放電が起こり、排気ガス旋回室(９)内で排気微粒子を効率的に帯電させることができる。
【００３７】
図２、図３(Ａ)に示すように、中心筒(７)を帯電ＰＭと同じ極性の電極(１２)とし、中心筒(７)の外周に排気ガス旋回室周壁(１４)に向けて突出する放電用突起(６)を形成している。
図２に示すように、放電用突起(６)を帯電ＰＭと同じ極性のマイナスの電極(１２)としている。放電用突起(６)は中心筒(７)と一体成型されている。
【００３８】
図２、図３(Ａ)に示すように、中心筒(７)の外周の周方向に沿って並べた放電用突起(６)の列を、中心筒(７)の軸長方向に複数列配置している。
図３(Ａ)に示すように、中心筒(７)の外周の周方向に沿って並べた放電用突起(６)の列はノコ歯状に形成されている。図２に示すように、放電用突起(６)の列は、排気ガス旋回室始端部(１０)で、最も上流側の放出ガス進入孔(８)の上流に３列隣接して配置されている。
図２に示すように、複数個の放出ガス進入孔(８)(８)を中心筒(７)の軸長方向に沿って配置するに当たり、放電用突起(６)を軸長方向に並ぶ放出ガス進入孔(８)(８)の間に配置している。この放電用突起(６)は、隣合う放出ガス進入孔(８)(８)の間にある。
図２に示すように、放電用突起(６)の上流側に排気ガス偏向案内壁(１８)を配置し、放電用突起(６)に向かう排気ガス(３)を排気ガス偏向案内壁(１８)で放電用突起(６)の周囲の排気ガス旋回室周壁(１４)側に偏向させるようにしている。この排気ガス偏向案内壁(１８)の外周は下流に向かって次第に径大となる円錐台周面形状を内側に凹曲させた曲面形状である。
【００３９】
図２に示すように、排気ガス旋回室終端部(１５)に囲まれた中心筒終端部(１９)に中心筒終端壁(２０)を設け、排気ガス旋回室終端部(１５)に隣接してＥＧＲガス旋回室(２１)を設け、ＥＧＲガス旋回室(２１)を周囲から取り囲むＥＧＲガス旋回室周壁(２２)にＥＧＲガス出口(２３)を設け、中心筒終端壁(２０)にガス抜き孔(２４)をあけ、ＥＧＲガス旋回室(２１)の中心部から溢れたＥＧＲガス(４)のガス成分(２５)がガス抜き孔(２４)から放出ガス(５)として中心筒(７)内に流入するようにしている。
【００４０】
図２に示すように、ＥＧＲガス旋回室周壁(２２)とＥＧＲガス旋回室端壁(２２ａ)を帯電ＰＭと異なる極性のプラスの電極(１３)としている。また、中心筒終端壁(２０)を帯電ＰＭと同じ極性のマイナスの電極(１２)としている。中心筒終端壁(２０)は中心筒(７)の周壁と一体成型されている。
【００４１】
図４(Ｂ)に示すように、ガス抜き孔(２４)の開口縁に鋭角部(２４ａ)を設け、図４(Ｂ)(Ｃ)に示すように、ＥＧＲガス旋回室(２１)の中心部側から中心筒(７)内に向かうガス抜き孔(２４)の向きを、ＥＧＲガス(４)の旋回方向と逆行する向きにしている。図４(Ｂ)に示すように、鋭角部(２４ａ)は、中心筒(７)の中心軸と平行でガス抜き孔(２４)の中心軸を含む断面図上、鋭角となっている部分である。図２に示すように、中心筒(７)は上下方向に向けて配置され、中心筒終端壁(２０)は中心筒(７)の下端部に配置され、図４(Ｂ)に示すように、ガス抜き孔(２４)は中心筒(７)内からＥＧＲガス旋回室(２１)に向けて下り傾斜する向きとされ、エンジン停止中には、中心筒(７)内に溜まったＰＭが自重でガス抜き孔(２４)からＥＧＲガス旋回室(２１)に流出するようにしてある。
【００４２】
図２に示すように、排気ガス旋回室(９)の上流に螺旋形の助走案内壁(２６ａ)に沿う排気ガス旋回助走通路(２６)を設けている。
図２に示すように、排気ガス旋回助走通路(２６)で囲まれた排気ガス分流器(２)の中心部に放出ガス排出通路(２７)を設け、この放出ガス排出通路(２７)の排出通路入口(２８)を中心筒始端部(２９)にある中心筒出口(３０)と連通させている。
図２に示すように、排気ガス旋回室周壁(１４)と助走通路周壁(３３)とを取り付けボルト(６１)で連結している。
放出ガス排出通路(２７)の排出通路周壁(２７ａ)を、排出通路入口周壁(３５)と、この排出通路入口周壁(３５)よりも下流側の排出通路下流側周壁(３６)とに区分し、排出通路下流側周壁(３６)と中心筒出口周壁(３７)との間に排出通路入口周壁(３５)を介在させている。
【００４３】
排出通路入口周壁(３５)を電気的絶縁体で成型し、中心筒(７)に対し、異なる極性の電極(１３)となる排気ガス旋回室周壁(１４)と助走通路周壁(３３)と排出通路下流側周壁(３６)とを電気的に絶縁している。
排出通路入口周壁(３５)はアルミナで構成されている。
【００４４】
図２に示すように、放電用突起(６)への入力端子(５２)は、中心筒(７)を介して放電用突起(６)に接続されている。入力端子(５２)と中心筒(７)は、入力端子(５２)に嵌めた絶縁体のスペーサ(５３)(５４)で、ＥＧＲガス旋回室端壁(２２ａ)と電気的に絶縁されている。中心筒(７)や放電用突起(６)等のマイナスの電極(１２)への入力端子(５２)は、導電板(６２)を介して昇圧回路(５８)のマイナス出力端子(５８ａ)と接続されている。昇圧回路(５８)のプラス出力はアース接続されている。プラスの電極(１３)となる排気ガス旋回室周壁(１４)とＥＧＲガス旋回室周壁(２２)とＥＧＲガス旋回室端壁(２２ａ)と助走通路周壁(３３)と排出通路下流側周壁(３６)と助走案内壁(２６ａ)とは、エンジンの機体を介してアース(バッテリマイナス)に接続されている。図中の符号(５５)はバッテリ、(５８ｂ)は昇圧回路(５８)のプラス入力端子である。
スペーサ(５３)(５４)の接合部には入力端子(５２)に嵌めた絶縁体の筒(６６)を配置し、入力端子(５２)とＥＧＲガス旋回室端壁(２２ａ)との間で放電が起こらないようにしている。
【００４５】
図２、図５、図６に示すように、助走通路周壁(３３)と排出通路下流側周壁(３６)と助走案内壁(２６ａ)とを排気マニホルド(３９)と一体成型している。これらは鋳鉄の一体鋳造品である。
【００４６】
図１に示すように、過給機(４０)の排気タービン(４１)よりも上流に排気ガス分流器(２)を設けている。また、排気ガス(３)中のＰＭを捕捉し、ＰＭを燃焼除去して再生する、ＤＰＦを用いることなく、放出ガス(５)を大気側に排出するようになっている。
【００４７】
図２、図３(Ａ)に示すように、排気分流器(２)の端部に回路収容ケース(５７)を設け、この回路収容ケース(５７)に昇圧回路(５８)を収容し、この昇圧回路(５８)で昇圧した電圧を排気分流器(２)の電極(１２)(１３)に印加するようにしている。
昇圧回路(５８)と電気的に接続した導電体(５９)を排気分流器(２)の端壁(６０)に貫通させ、この導電体(５９)を介して昇圧回路(５８)で昇圧した電圧を排気分流器(２)の電極(１２)(１３)に印加するようにしている。
導電体(５９)は入力端子(５２)であり、この入力端子(５２)は導電板(６２)を介して昇圧回路(５８)のマイナス出力端子(５８ａ)に電気的に接続されている。
回路収容ケース(５７)は環状で、中心部に入力端子(５２)と導電板(６２)とが配置され、その周囲のケース内に昇圧回路(５８)が収容され、導電板(６２)は入力端子(５２)に嵌めた絶縁体のスペーサ(５４)と導電体の座金(６３)の間に挟み付けて固定され、入力端子(５２)に電気的に接続されている。昇圧回路(５８)の上側には回路収容ケース(５７)の断熱空気室(６４)が配置されている。
【００４８】
図７〜図８に示す本発明の第２実施形態は、第１実施形態と次の点で異なる。
排気ガス旋回室始端部(１０)に排気ガス旋回案内羽根(１１)を設け、この排気ガス旋回案内羽根(１１)を帯電ＰＭと同じ極性の電極(１２)とし、排気ガス旋回案内羽根(１１)の縁部(１６)(１７)に鋭角部(１６ａ)(１７ａ)を設けている。
このため、排気ガス旋回案内羽根(１１)の整流作用により、排気ガス旋回室(９)での排気ガス(３)の旋回速度を高めることができ、排気ガス(３)中のＰＭにかかる遠心力を大きくし、ＥＧＲガス(４)のＰＭ濃度を高めることができる。
また、異なる極性の電極(１３)となる排気ガス旋回室周壁(１４)との間で、コロナ放電が起こり、排気ガス旋回室(９)内で排気微粒子を効率的に帯電させることができる。
また、排気ガス(３)中のＰＭを効率的に帯電させることができる。その理由は、鋭角部(１６ａ)(１７ａ)付近に電界の集中箇所が発生し、コロナ放電が生起することによってＰＭに効率的に電荷を付与するためと推定される。
【００４９】
排気ガス旋回室始端部(１０)に排気ガス旋回案内羽根(１１)を設け、この排気ガス旋回案内羽根(１１)と、排気ガス旋回助走通路(２６)を周囲から取り囲む助走通路周壁(３３)とを、相互に異なる極性の電極(１２)(１３)としている。
排気ガス旋回案内羽根(１１)はマイナスの電極(１２)、助走通路周壁(３３)はプラスの電極(１３)である。
【００５０】
中心筒出口周壁(３７)の周囲に排気ガス旋回室始端部(１０)を設け、排気ガス旋回室周壁(１４)を、排気ガス旋回室始端部(１０)を周囲から取り囲む旋回室始端部周壁(３１)と、この旋回室始端部周壁(３１)よりも下流側の旋回室下流側周壁(３２)とに区分し、助走通路周壁(３３)と旋回室下流側周壁(３２)との間に旋回室始端部周壁(３１)を介在させている。
放出ガス排出通路(２７)の排出通路周壁(２７ａ)を、排出通路入口周壁(３５)と、この排出通路入口周壁(３５)よりも下流側の排出通路下流側周壁(３６)とに区分し、排出通路下流側周壁(３６)と中心筒出口周壁(３７)との間に排出通路入口周壁(３５)を介在させ、旋回室始端部周壁(３１)と排出通路入口周壁(３５)とこれらを連結する架橋体(３１ａ)とを電気的絶縁体で一体成型し、排気ガス旋回案内羽根(１１)と同じ極性の電極(１２)となる中心筒(７)に対し、排気ガス旋回案内羽根(１１)と異なる極性の電極(１３)となる旋回室下流側周壁(３２)と助走通路周壁(３３)と排出通路下流側周壁(３６)とを電気的に絶縁している。
また、この絶縁体は、中心筒(７)に対し、異なる極性の電極(１３)となるＥＧＲガス旋回室周壁(２２)とＥＧＲガス旋回室端壁(２２ａ)も電気的に絶縁している。絶縁体はアルミナで構成されている。
絶縁部品の組み付けは一括して行うことができる。
【００５１】
架橋体(３１ａ)を排気ガス旋回案内羽根(１１)の上流に位置する上流排気ガス旋回案内羽根(３８)とした。このため、上流排気ガス旋回案内羽根(３８)の整流作用により、排気ガス旋回室(９)での排気ガス(３)の旋回速度を高めることができ、排気ガス(３)中のＰＭにかかる遠心力を大きくし、ＥＧＲガス(４)のＰＭ濃度を高めることができる。
第２実施形態の他の構成や機能は、第１実施形態と同じであり、図７〜図８中、第１実施形態と同一の要素には、同一の符号を付しておく。
【００５２】
本発明の実施形態は、以上の通りであるが、本発明は上記実施形態に限定させるものではなく、ＰＭをプラスの極性に帯電させるものであってもよく、この場合には、中心筒(７)や排気ガス旋回案内羽根(１１)を帯電ＰＭと同じ極性のプラスの電極とし、旋回室下流側周壁(３２)とＥＧＲガス旋回室周壁(２２)とＥＧＲガス旋回室端壁(２２ａ)と助走通路周壁(３３)と排出通路下流側周壁(３６)と助走案内羽根(２６ａ)とを帯電ＰＭと異なる極性のマイナスの電極とする。
【符号の説明】
【００５３】
(１) 排気経路
(２) 排気ガス分流器
(３) 排気ガス
(４) ＥＧＲガス
(５) 放出ガス
(６) 放電用突起
(７) 中心筒
(８) 放出ガス進入孔
(８ａ) 鋭角部
(９) 排気ガス旋回室
(１２) 電極
(１３) 電極
(１４) 排気ガス旋回室周壁
(１５) 排気ガス旋回室終端部
(１８) 排気ガス偏向案内壁
(１９) 中心筒終端部
(２０) 中心筒終端壁
(２１) ＥＧＲガス旋回室
(２２) ＥＧＲガス旋回室周壁
(２３) ＥＧＲガス出口
(２４) ガス抜き孔
(２４ａ) 鋭角部
(２５)ガス成分
(２６) 排気ガス旋回助走通路
(２６ａ) 助走案内壁
(２７) 放出ガス排出通路
(２７ａ) 排出通路周壁
(２８) 排出通路入口
(２９) 中心筒始端部
(３０) 中心筒出口
(３３) 助走通路周壁
(３５) 排出通路入口周壁
(３６) 排出通路下流側周壁
(３７) 中心筒出口周壁
(３９) 排気マニホルド
(４０) 過給機
(４１) 排気タービン
(５７) 回路収容ケース
(５８) 昇圧回路
(５９) 導電体
(６０) 端壁
【図１】
2010276012.tif 000003
【図２】
2010276012.tif 000004
【図３】
2010276012.tif 000005
【図４】
2010276012.tif 000006
【図５】
2010276012.tif 000007
【図６】
2010276012.tif 000008
【図７】
2010276012.tif 000009
【図８】
2010276012.tif 000010